(57)【要約】【課題】ウエストサイズを容易に調節することができるパンツ型紙おむつとする。【解決手段】吸収体３を有する吸収性本体５と、この吸収性本体５が取り付けられて、この吸収性本体５とともに着用者の脚周りに接触する脚周り部８２及び胴周りに接触する胴周り部８１を形成する吸収性本体取付シート４と、胴周り部８１外面に一端部６Ｂが固定され他端部６Ａが止着可能とされた止着テープ６と、備え、他端部６Ａの止着位置を変えることによって胴周り部８１のサイズを調節することができるようにする。そして、他端部６Ａの止着可能範囲が胴周り部８１外面の腹側となるようにする。【選択図】図１
2008080026.tif 000002
【特許請求の範囲】
【請求項１】
吸収体を有する吸収性本体と、この吸収性本体が取り付けられて、この吸収性本体とともに着用者の脚周りに接触する脚周り部及び胴周りに接触する胴周り部を形成する吸収性本体取付シートと、前記胴周り部外面に一端部が固定され他端部が止着可能とされた止着テープと、を有し、
前記他端部の止着位置を変えることによって前記胴周り部のサイズを調節することができる、パンツ型紙おむつであって、
前記他端部の止着可能範囲が、前記胴周り部外面の腹側とされている、ことを特徴とするパンツ型おむつ。
【請求項２】
前記止着テープは、前記胴周り部外面の腹側部に複数設けられており、これら止着テープの固定側端部から止着側端部への延在方向が同一とされている、請求項１記載のパンツ型紙おむつ。
【請求項３】
前記胴周り部の開口縁から前記脚周り部の開口縁にかけて切断補助線が設けられているとともに、前記止着テープが前記切断補助線の一方側に固定され、かつ他方側に止着可能とされている、請求項１又は請求項２記載のパンツ型紙おむつ。
【発明の詳細な説明】
【技術分野】
【０００１】
本発明は、パンツ型紙おむつに関するものである。
【背景技術】
【０００２】
従来から、パンツ型の紙おむつとしては、吸収体を有する吸収性本体と、この吸収性本体が取り付けられて、この吸収性本体とともに着用者の脚周りに接触する脚周り部や胴周りに接触する胴周り部を形成する吸収性本体取付シートと、を有するものがある。このパンツ型の紙おむつにおいては、例えば、脚周り部や胴周り部に糸ゴム等の弾性部材が設けられて、フィット性の向上が図られている（例えば、特許文献１、特許文献２参照。）。
もっとも、この従来のパンツ型紙おむつは、胴周り部のサイズ（以下「ウエストサイズ」ともいう。）を調節することができないため、フィット性の向上に限界があった。そこで、例えば、着用者等は、パンツ型紙おむつを、胴周り部の開口縁から脚周り部の開口縁にかけて切断して、いわゆるテープ型の紙おむつと類似する状態にしたうえで、切断端部同士を適宜重ね縫い合わせて、ウエストサイズが調節されたパンツ型紙おむつとするなどしており、非常に煩瑣であった。
そこで、近年、一端部が胴周り部外面の側部に固定され他端部が胴周り部外面の背側に止着可能とされた止着テープを有するパンツ型紙おむつが提案されている（例えば、特許文献３参照。）。このパンツ型紙おむつにおいては、前記他端部の止着位置を変えることによってウエストサイズを調節することができる。
しかしながら、特に、着用者が大人である場合などにおいては、このウエストサイズの調節を、着用者がパンツ型紙おむつを着用した状態で行うことが多い。この場合、特許文献３の形態によると、片手で行う場合ウエストサイズを調節するにあたり、腰を大きく捻り、しかも手を背側に回り込ませなければならないため、不便であった。
また、従来の背中側に止着テープがある場合、鼠径部や腹側のフィット性が向上するが背中側に空間ができ易いため、フィット性に限界があった。本形態は、腹側に止着テープがあるため、背中側のフィット性が向上し背中モレを防ぐことができる。
【特許文献１】特開２００１−２０４７６２号公報
【特許文献２】特表２００３−５２８６４９号公報
【特許文献３】特許第３７４９２５５号公報
【発明の開示】
【発明が解決しようとする課題】
【０００３】
本発明が解決しようとする主たる課題は、ウエストサイズを容易に調節することができるパンツ型紙おむつを提供することにある。
【課題を解決するための手段】
【０００４】
この課題を解決した本発明は、次のとおりである。
〔請求項１記載の発明〕
吸収体を有する吸収性本体と、この吸収性本体が取り付けられて、この吸収性本体とともに着用者の脚周りに接触する脚周り部及び胴周りに接触する胴周り部を形成する吸収性本体取付シートと、前記胴周り部外面に一端部が固定され他端部が止着可能とされた止着テープと、を有し、
前記他端部の止着位置を変えることによって前記胴周り部のサイズを調節することができる、パンツ型紙おむつであって、
前記他端部の止着可能範囲が、前記胴周り部外面の腹側とされている、ことを特徴とするパンツ型おむつ。
【０００５】
〔請求項２記載の発明〕
前記止着テープは、前記胴周り部外面の腹側部に複数設けられており、これら止着テープの固定側端部から止着側端部への延在方向が同一とされている、請求項１記載のパンツ型紙おむつ。
【０００６】
〔請求項３記載の発明〕
前記胴周り部の開口縁から前記脚周り部の開口縁にかけて切断補助線が設けられているとともに、前記止着テープが前記切断補助線の一方側に固定され、かつ他方側に止着可能とされている、請求項１又は請求項２記載のパンツ型紙おむつ。
【発明の効果】
【０００７】
本発明によると、ウエストサイズを容易に調節することができるパンツ型紙おむつとなる。
【発明を実施するための最良の形態】
【０００８】
次に、本発明の実施の形態を説明する。
本形態のパンツ型紙おむつ１０について、図１に腹側正面図を、図２に展開図を、図３に断面図を、それぞれ示した。
【０００９】
本形態のパンツ型紙おむつ１０は、吸収体３を有する吸収性本体５を有する。吸収体３は、不織布や多孔フィルムなどからなる体液透過性のトップシート１と、ポリエチレンシートやポリラミ不織布、ミクロボイドを形成して蒸気は透過するが液は透過させないシートなどからなる体液不透液性のバックシート２との間に、介在されている。
【００１０】
トップシート１及びバックシート２は、長方形状、砂時計形状などの形状とされ、吸収性本体５の形状を規定する連続シートとされている。吸収体３は、トップシート１及びバックシート２のほぼ中央部に配置されている。吸収体３は、適宜高分子吸収性ポリマーが添加されるなどした綿状パルプ等からなり、例えば、長方形状や砂時計形状などの適宜の形状とされている。吸収体３は、例えば、ティシュペーパーやクレープ紙等からなる図示しない被覆シートで被覆することができる。被覆シートによる被覆によって、吸収体３の形状保持性が向上する。
【００１１】
吸収性本体５の腹側端部及び背側端部（図２の紙面上下側端部）には、それぞれ外面（裏面。図２の紙面手前側。）に、吸収性本体５と直交するように、吸収性本体取付シート４Ａ又は４Ｂが、ホットメルト等の接着剤、ヒートシール等によって取り付けられている。また、図２の展開されたパンツ型紙おむつ１０は、腹側の吸収性本体取付シート４Ａの両側端部８，８と背側の吸収性本体取付シート４Ｂの両側端部８，８とが、互いにホットメルト等の接着剤やヒートシール等によって接合されて、図１に示すようなパンツ型紙おむつ１０に成形される。これにより、吸収性本体取付シート４Ａ，４Ｂは、吸収性本体５とともに着用者の脚周りに接触する脚周り部８２，８２及び胴周りに接触する胴周り部８１を形成する。
【００１２】
吸収性本体取付シート４Ａ，４Ｂは、ムレ防止などの点から、通気性及び体液不透過性（撥水性）の少なくとも一方、好ましくは両方の特性を有するとよい。吸収性本体取付シート４Ａ，４Ｂの素材は、適宜選択することができる。具体的には、例えば、ポリプロピレン主体の熱融着繊維及びレーヨン繊維を混綿したレーヨンスパンレース不織布と、ウレタンやイソプレンゴム系の材料を主体とするメルトブロー不織布と、を熱融着、超音波接合、ホットメルト等の接着剤による接合などして一体化したものを例示することができる。この素材を使用する場合においては、前者の不織布（レーヨンスパンレース不織布）が着用者の肌側となるようにするのが好ましい。吸収性本体取付シート４Ａ，４Ｂの使用面（内面）側には、体液不透過性のシートを設けることができる。これにより、体液の抜けが防止されているので、吸収性本体取付シート４Ａ，４Ｂ自体は、通気性及び体液透過性を有するものであってもよい。
【００１３】
トップシート１の前後端部（腹側端部及び背側端部）、バックシート２の前後端部（腹側端部及び背側端部）及び吸収性本体取付シート４Ａ，４Ｂで構成される胴周り部８１には、帯状ゴムや糸状ゴム等からなる図示しない胴周り用弾性部材を設け、胴に対するフィット性を高めることができる。この胴周り用弾性部材は、例えば、シート間のいずれかに、伸張下で、一本を又は複数本を平行に固定して備えることができる。同様に、トップシート１の両側端部、バックシート２の両側端部及び吸収性本体取付シート４Ａ，４Ｂで構成される脚周り部８２，８２にも、帯状ゴムや糸状ゴム等からなる図示しない脚周り用弾性部材を設け、脚に対するフィット性を高めることができる。この脚周り用弾性部材も、例えば、シート間のいずれかに、伸張下で、一本を又は複数本を平行に固定して備えることができる。この形態では、脚周り用弾性部材の収縮により、脚周り部にひだ状の平面ギャザーが形成される。この平面ギャザーは、一般には、ガスケットカフスなどとも呼ばれる。
【００１４】
本形態においては、脚周り用弾性部材を省略して平面ギャザーを備えないことも可能であるが、平面ギャザーを備えた方が好ましい。平面ギャザーが備えられていると、仮に、体液が、後述する起立ギャザー等の防漏手段を乗り越えたとしても、平面ギャザーによって横漏れが防止される。
【００１５】
トップシート１の前後端部上には、不透液性の又は不織布を撥水処理した不透液性であるが通気性の前後フラップシートを設けることもできる。この前後フラップシートは、基端部（紙おむつ前方・後方側の端部）がトップシート１上にホットメルト等の接着剤やヒートシール等によって固定される。他方、前後フラップシートの先端部（股間部側の端部）は、トップシート１上に固定されない起立部とされる。この起立部の先端部には、帯状ゴムや糸状ゴム等からなる弾性部材が伸張下でホットメルト等の接着剤等によって固定される。したがって、使用状態においては、かかる弾性部材の収縮によって起立部が使用面から起立し、体液の前後漏れが防止される。この前後フラップシートは、トップシート１の前後端部両方に設ける必要はなく、一方でもよい。もちろん、本形態においては、省略することもできる。
【００１６】
一方、本形態において、吸収性本体５の側端部使用面側には、図示しない起立ギャザーを設けることもできる。この起立ギャザーは、基端部（製品側方側の端部）が吸収性本体５に固定され、この固定部と固定されていない起立部との境界が起立始点、つまり起立部の近位縁となる。この起立ギャザーは、下側起立シート、不透液層及び上側起立シートがこの順に積層された積層構造とされているとより好ましいものとなる。この積層構造によると、起立ギャザーを透過する体液の滲み出しは完全に防止され、しかも、肌触りが悪化するおそれがない。また、積層構造とすると、防漏性が高まるばかりでなく、特に起立ギャザーとしての形状保持性が良好となり、着用中において、捲れなどが生じず、漏れ防止効果がより高いものとなる。
【００１７】
この形態において、起立ギャザーをどのようにして積層構造とするかは、特に限定されない。例えば、連続する起立シートを、不透液層を挟んで折り返し、この折り返し縁から一方が下側起立シートと、他方が上側起立シートと、なるようにすることや、複数枚の起立シートを、不透液層を挟んで重ね合わせることなどにより、積層構造とすることができる。
【００１８】
この起立ギャザーは、その先端縁（遠位縁）近傍に、帯状ゴムや糸状ゴム等からなる単数又は複数の弾性部材を、伸張下でホットメルト等の接着剤などにより固定する。起立ギャザーは、かかる弾性部材の収縮によって起立し、先端縁近傍が着用者の脚周りに当接する。起立した起立ギャザーとトップシート１とで囲まれる、上方開口のほぼ台形の空間によって、尿や軟便等の体液の閉じ込め用ポケット空間が形成される。このポケット空間内に、尿や軟便等の体液が排泄されると、主に、尿等の液体はトップシート１を通過して吸収体３内に吸収され、他方、軟便等の固形分は起立ギャザーがバリヤー（障壁）になってその乗り越えが防止される。
【００１９】
起立シートは、例えば、撥水処理した不織布によって形成することができ、実質的に通気性を有する素材によって形成することができる。また、微細の通気用孔開き柔軟フィルムなどでもよい。
【００２０】
一方、起立シート間に介在される不透液層も、どのようにして形成するかが、特に限定されない。例えば、フィルムシートを起立シートにラミネートし、このラミネートされたフィルムシートが不透液層となるようにすることや、起立シートを、ホットメルト等の接着剤を塗工して貼り合わせ、塗工したホットメルト等の接着剤が固化して形成された層が不透液層となるようにすることができる。このホットメルト等の接着剤の塗工は、スパイラル塗工によるのが好ましく、カーテン塗工によるのがより好ましく、ベタ塗工によるのが特に好ましい。
【００２１】
本形態のパンツ型紙おむつ１０は、腹側の胴周り部８１の外面（本形態では、腹側の吸収性本体取付シート４Ａの外面（裏面））に、一端部６Ｂが固定され他端部６Ａが止着可能とされた止着テープ６が設けられている。この形態においては、他端部６Ａの止着位置を調節することによって、胴周り部８１の止着テープ６が固定される部位と止着される部位との間に「ひだ」が形成され、この「ひだ」の存在によってウエストサイズが短くなる。したがって、他端部６Ａの止着位置を変えることによって、ウエストサイズを調節することができるパンツ型紙おむつとなる。
【００２２】
ただし、本形態においては、他端部６Ａの止着可能範囲が、胴周り部８１外面の腹側に限定されている。したがって、ウエストサイズを調節するにあたり、腰を大きく捻ったり、手を背側に回り込ませたりする必要がない。また、従来の背中側に止着テープがある場合、鼠径部や腹側のフィット性が向上するが背中側に空間ができ易いため、フィット性に限界があった。本形態は、腹側に止着テープがあるため、背中側のフィット性が向上し背中モレを防ぐことができる。
【００２３】
ここで本明細書において、胴周り部８１外面の腹側とは、図５の（１）に示すように、胴周り部８１を腹側及び背側に二分した場合における腹側の全ての範囲Ｙを意味する。そして、他端部６Ａの止着可能範囲Ｘが、図５の（２）に示すように、腹側と背側との境界を越える場合は、止着可能範囲が腹側とはいえないが、図５の（３）に示すように、腹側と背側との境界までの場合は、止着可能範囲が腹側といえる。もちろん、止着可能範囲が腹側とは、止着テープ６の一端部６Ｂの固定位置までをも限定するものではない。したがって、例えば、図５の（４）に示すように、一端部６Ｂが胴周り部８１外面の背側に固定されていても、他端部６Ａの止着可能範囲Ｘが腹側であれば、止着可能範囲が腹側といえる。
【００２４】
本形態において、止着テープ６は、胴周り部８１の開口縁８１ａに沿う上下２段の細帯状となっているが、これに限定する趣旨ではない。例えば、腹側の吸収性本体取付シート４Ａの外面に接合された１枚のシートと、このシートから側方に例えば上下２段に延出する接合片と、からなる形態などを例示することもできる。この形態としては、例えば、特開昭６３−２４９７０４号公報などを参考にすることができる。また、図示例のように、止着テープ６が、上下２段で設けられている場合は、上下２段の止着テープ６を、平行状態のまま止着することも（通常止め）、交差させて止着することも（クロス止め）できる。一般に、通常止めは、標準的な体型の人から太った体型の人に多く用いられ、クロス止めは、痩せた体型の人に多く用いられる。上下２段の止着テープ６は、あらかじめ分離されていても、図示例のように、ミシン目等の切断補助線２２で切断して分離する形態とされていてもよい。また、図７の（１）に示すように、止着テープ６に段差をつけることによって、図７の（２）に示すように、鼠径部のフィット性が向上する。
【００２５】
また、腹側の吸収性本体取付シート４Ａの止着テープ６を止着する止着部には、図示例のように、ターゲットテープ７をホットメルト等の接着剤等によって、接合しておくことができる。
【００２６】
止着テープ６の他端部（止着部）６Ａと、吸収性本体取付シート４Ａ（本形態ではターゲットテープ７）との止着構造は、特に限定されない。本形態では、止着テープ６の他端部６Ａの内面にフック型面ファスナーが設けられ、かつターゲットテープ７の外面がループ型面ファスナーで構成されている。フック型面ファスナーとしては、現在、ループ型面ファスナーに対してだけではなく、通常の不織布等に対しても止着力を有するものがある。したがって、吸収性本体取付シート４Ａの外面が不織布である場合は、ターゲットテープ７，７を省略することもできる。
【００２７】
以上の形態においては、止着テープ６が、胴周り部８１外面の腹側両端部に設けられているが、これに限定する趣旨ではない。止着テープ６を、１箇所に設けることも、逆に、３箇所、４箇所又はそれ以上の複数箇所に設けることもできる。
【００２８】
ただし、止着テープ６を２箇所以上の複数箇所に設ける場合は、図６に２箇所の場合を例示するように、これら止着テープ６の固定側端部（一端部）６Ｂから止着側端部（他端部）６Ａへの延在方向が同一とされているのが好ましい。この形態によると、止着テープ６を止着するために引っ張る方向が全て同一となるため、止着作業が容易となる。かつ同一方向なっている場合は、取り外し時もはがす方向が全て同一になるため、はずし易い。
【００２９】
ところで、図１や図２に示すように、本形態においては、胴周り部８１の開口縁８１ａから脚周り部８２の開口縁８２ａにかけて、一対のミシン目やスリット等の切断補助線２１，２１が形成されている。したがって、本形態のパンツ型紙おむつ１０は、図４に示すように、切断補助線２１，２１で切断することによって、いわゆるテープ型の紙おむつと同様の形態になる。より詳細には、展開状態において、腹側の吸収性本体取付シート４Ａが中央部４Ｄのみとなり、腹側の吸収性本体取付シート４Ａの両端部４Ｃ，４Ｃは背側の吸収性本体取付シート４Ｂの両側方に位置することになる。
【００３０】
この形態においては、パンツ型紙おむつ１０を着用するにあたって、切断によって形成された中央部４Ｄの両側縁２１Ａ，２１Ａと両端部４Ｃ，４Ｃの側縁２１Ｂ，２１Ｂとをそれぞれ重ね合わせるなどしたうえで、止着テープ６の他端部６Ａをターゲットテープ７に止着させることになり、パンツ型紙おむつであるにもかかわらず、テープ型紙おむつと同様の装着形態となる。
【００３１】
もっとも、本形態のパンツ型紙おむつ１０は、テープ型にすることができるとしても、切断補助線２１，２１を有するがゆえに、この部分２１，２１から吸収性本体取付シート４Ａ等が裂ける（切れる）おそれがあり、テープ型としない場合においては、強度の点でマイナスなだけとされるおそれがある。そこで、図示例のように、止着テープ６は、切断補助線２１の一方側に固定（６Ｂ）され、かつ他方側に止着（６Ａ）可能とされているのが好ましい。この形態によると、強度の問題が解決される。
【００３２】
〔その他〕
本形態において、弾性部材の素材は、天然であっても合成であってもよい。また、弾性部材の数、太さなども特に限定されない。
【産業上の利用可能性】
【００３３】
本発明は、例えば、大人用のパンツ型紙おむつとして、適用可能である。
【図面の簡単な説明】
【００３４】
【図１】本形態のパンツ型紙おむつの腹側正面図である。
【図２】本形態のパンツ型紙おむつの展開図である。
【図３】本形態のパンツ型紙おむつの断面図である。
【図４】本形態のパンツ型紙をテープ型とした場合の展開図である。
【図５】本形態のパンツ型紙おむつの説明図である。
【図６】止着テープの形態例である。
【図７】止着テープの形態例である。
【符号の説明】
【００３５】
１…トップシート、２…バックシート、３…吸収体、４Ａ〜４Ｄ…吸収性本体取付シート、５…吸収性本体、６…止着テープ、７…ターゲットテープ、８１…胴周り部、８２…脚周り部。
【図１】
2008080026.tif 000003
【図２】
2008080026.tif 000004
【図３】
2008080026.tif 000005
【図４】
2008080026.tif 000006
【図５】
2008080026.tif 000007
【図６】
2008080026.tif 000008
【図７】
2008080026.tif 000009